(57)【特許請求の範囲】
【請求項１】
符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
符号多重化された信号数Kを検出する手段と、
信号強度の総和Pt及び背景雑音強度N、又は該信号強度総和Pt及び該背景雑音強度Nの比を検出する手段と、
該検出した信号強度総和Ptと信号強度総和Ptを信号数Kで割ったPt/Kとに応じて２次方程式の定数項U0を決定し、前記検出した背景雑音強度Nと背景雑音強度Nを信号数Ｋで割ったN/Kと信号強度総和Ptと信号強度総和Ptを信号数Kで割ったPt/Kと信号強度総和Ptを信号数の自乗K2で割ったPt/K2とに応じて２次方程式の１次の係数U1を信号数Ｋで割った値U1/Kを求めて係数U1を決定し、前記検出した背景雑音強度Nと背景雑音強度Nを信号数Kで割ったN/Kと信号強度総和Ptと信号強度総和Ptを信号数Ｋで割ったPt/Kと信号強度総和Ptを信号数の自乗K2で割ったPt/K2とに応じて２次方程式の２次の係数U2を信号数の自乗K2で割った値U2/K2を求めて係数U2を決定する手段とを備えており、
前記２次方程式を解いて得られる２つの解のうち小さくない方の数値を前記レプリカ強度を弱める係数として用いることを特徴とするＣＤＭ信号復調装置。
【請求項２】
前記決定する手段が、B0〜B11を非負の定数とすると、
U0＝-B0*Pt-B1*Pt/K
U1＝(B2*N+B3*N/K+B4*Pt+B5*Pt/K+B6*Pt/K2)*K
U2＝-(B7*N+B8*N/K+B9*Pt+B10*Pt/K+B11*Pt/K2)*K2
から２次方程式の係数U0、U1及びU2を決定する手段であることを特徴とする請求項１に記載のＣＤＭ信号復調装置。
【請求項３】
符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
干渉信号数Kを検出する手段と、
希望信号強度P0、干渉信号強度の総和Pt及び背景雑音強度N、又は希望信号強度P0、干渉信号強度総和Pt及び背景雑音強度Nの相対値を検出する手段と、
該検出した干渉信号強度総和Ptと干渉信号強度総和Ptを信号数Kで割ったPt/Kとに応じて２次方程式の定数項U0を決定し、前記検出した背景雑音強度Nと背景雑音強度Nを信号数Kで割ったN/Kと干渉信号強度総和Ptと干渉信号強度総和Ptを信号数Kで割ったPt/Kと干渉信号強度総和Ptを信号数の自乗K2で割ったPt/K2と希望信号強度P0を信号数Kで割ったP0/Kとに応じて２次方程式の１次の係数U1を信号数Kで割った値U1/Kを求めて係数U1を決定し、前記検出した背景雑音強度Nと背景雑音強度Nを信号数Kで割ったN/Kと信号強度総和Ptと信号強度総和Ptを信号数Kで割ったPt/Kと信号強度総和Ptを信号数の自乗K2で割ったPt/K2と希望信号強度P0を信号数Kで割ったP0/Kとに応じて２次方程式の２次の係数U2を信号数の自乗K2で割った値U2/K2を求めて係数U2を決定する手段とを備えており、
前記２次方程式を解いて得られる２つの解のうち小さくない方の数値を前記レプリカ強度を弱める係数として用いることを特徴とするＣＤＭ信号復調装置。
【請求項４】
前記決定する手段が、A0〜A13を非負の定数とすると、
U0＝-A0*Pt-A1*Pt/K
U1＝(A2*N+A3*N/K+A4*Pt+A5*Pt/K+A6*Pt/K2+A7*P0/K)*K
U2＝-(A8*N+A9*N/K+A10*Pt+A11*Pt/K+A12*Pt/K2+A13*P0/K)*K2
から２次方程式の係数U0、U1及びU2を決定する手段であることを特徴とする請求項３に記載のＣＤＭ信号復調装置。
【請求項５】
符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
符号多重化された信号数Kを検出する手段と、
個々の信号の強度Pkを検出する手段と、
個々の信号の強度Pkと信号強度の総和Ptと背景雑音強度Nとをそれぞれ異なった定数で乗じて加算した結果の逆数である逆強度値qkを求める手段と、
個々の信号に対応した逆強度値を総じて平均q~を求める手段と、
個々の逆強度値とその平均値からのずれΔqkを求める手段と、
個々の逆強度値のずれの自乗和Rを求める手段と、
個々の逆強度値のずれの自乗に該逆強度値に対応する信号強度を乗じた値の和Raを求める手段と、
個々の逆強度値のずれに該逆強度値に対応する信号強度を乗じた値の和Qaを求める手段と、
信号強度総和Ptと信号強度総和Ptを信号数Kで割ったPt/Kと和Qaと和Qaを信号数Kで割ったQa/Kと背景雑音強度Nに自乗和Rを乗じたN*Rと背景雑音強度Nに自乗和Rを乗じたものを信号数Kで割ったN*R/Kと信号強度総和Ptに自乗和Rを乗じたPt*Rと信号強度総和Ptに自乗和Rを乗じたものを信号数Kで割ったPt*R/Kと和Raと和Raを信号数Kで割ったRa/Kとに応じて２次方程式の定数項U0を決定し、背景雑音強度Nと背景雑音強度Nを信号数Kで割ったN/Kと信号強度総和Ptと信号強度総和Ptを信号数Kで割ったPt/Kと信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と信号強度総和Ptに自乗和Rを乗じたPt*Rと信号強度総和Ptに自乗和Rを乗じたものを信号数Kで割ったPt*R/Kと信号強度総和Ptに自乗和Rを乗じたものを信号数の自乗K2で割ったPt*R/K2と和Raと和Raを信号数Kで割ったRa/Kと和Raを信号数の自乗K2で割ったRa/K2とに応じて２次方程式の１次の係数U1を信号数Kで割った値U1/Kを求めて係数U1を決定し、背景雑音強度Nと背景雑音強度Nを信号数Kで割ったN/Kと信号強度総和Ptと信号強度総和Ptを信号数Kで割ったPt/Kと信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と信号強度総和Ptに自乗和Rを乗じたPt*Rと信号強度総和Ptに自乗和Rを乗じたものを信号数Kで割ったPt*R/Kと信号強度総和Ptに自乗和Rを乗じたものを信号数の自乗K2で割ったPt*R/K2と和Raと和Raを信号数Kで割ったRa/Kと和Raを信号数の自乗K2で割ったRa/K2とに応じて２次方程式の２次の係数U2を信号数の自乗K2で割った値U2/K2を求めて係数U2を決定する手段とを備えており、
前記２次方程式を解いて得られる２つの解のうち小さくない方の数値を干渉信号レプリカの強度抑圧係数の平均値とすることを特徴とするＣＤＭ信号復調装置。
【請求項６】
前記決定する手段が、E0〜E43を非負の定数とすると、
U0＝-E0*Pt-E1*Pt/K-E2*Qa-E3*Qa/K-E4*N*R-E5*N*R/K-E6*Pt*R-E7*Pt*R/K-E8*Ra-E9*Ra/K
U1＝(E10*N+E11*N/K+E12*Pt+E13*Pt/K+E14*Pt/K2+E15*Qa+E16*Qa/K+E17*Qa/K2+E18*N*R+E19*N*R/K+E20*N*R/K2+E21*Pt*R+E22*Pt*R/K+E23*Pt*R/K2+E24*Ra+E25*Ra/K+E26*Ra/K2)*K
U2＝-(E27*N+E28*N/K+E29*Pt+E30*Pt/K+E31*Pt/K2+E32*Qa+E33*Qa/K+E34*Qa/K2+E35*N*R+E36*N*R/K+E37*N*R/K2+E38*Pt*R+E39*Pt*R/K+E40*Pt*R/K2+E41*Ra+E42*Ra/K+E43*Ra/K2)*K2
から２次方程式の係数U0、U1及びU2を決定する手段であることを特徴とする請求項５に記載のＣＤＭ信号復調装置。
【請求項７】
符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
干渉信号数Kを検出する手段と、
希望信号の強度P0を検出する手段と、
個々の干渉信号の強度Pkを検出する手段と、
希望信号強度P0と個々の干渉信号強度Pkと干渉信号強度の総和Ptと背景雑音強度Nをそれぞれ異なった定数で乗じて加算した結果の逆数である逆強度値qkを求める手段と、
個々の干渉信号に対応した逆強度値を総じて平均q~を求める手段と、
個々の逆強度値とその平均値からのずれΔqkを求める手段と、
個々の逆強度値のずれの自乗和Rを求める手段と、
個々の逆強度値のずれの自乗に該逆強度値に対応する干渉信号強度を乗じた値の和Raを求める手段と、
個々の逆強度値のずれに該逆強度値に対応する干渉信号強度を乗じた値の和Qaを求める手段と、
干渉信号強度総和Ptと干渉信号強度総和Ptを信号数Kで割ったPt/Kと和Qaと和Qaを信号数Kで割ったQa/Kと背景雑音強度Nに自乗和Rを乗じたN*Rと背景雑音強度Nに自乗和Rを乗じたものを信号数Kで割ったN*R/Kと干渉信号強度総和Ptに自乗和Rを乗じたPt*Rと干渉信号強度総和Ptに自乗和Rを乗じたものを信号数Kで割ったPt*R/Kと和Raと和Raを信号数Kで割ったRa/Kと希望信号強度P0に自乗和Rを乗じたP0*Rと希望信号強度総和P0に自乗和Rを乗じたものを信号数Kで割ったP0*R/Kとに応じて２次方程式の定数項U0を決定し、背景雑音強度Nと背景雑音強度Nを信号数Kで割ったN/Kと干渉信号強度総和Ptと干渉信号強度総和Ptを信号数Kで割ったPt/Kと干渉信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と干渉信号強度総和Ptに自乗和Rを乗じたPt*Rと干渉信号強度総和Ptに自乗和Rを乗じたものを信号数Kで割ったPt*R/Kと干渉信号強度総和Ptに自乗和Rを乗じたものを信号数の自乗K2で割ったPt*R/K2と和Raと和Raを信号数Kで割ったRa/Kと和Raを信号数の自乗K2で割ったRa/K２と希望信号強度P0と希望信号強度P0に自乗和Rを乗じたP0*Rと希望信号強度総和P0に自乗和Rを乗じたものを信号数Kで割ったP0*R/Kと希望信号強度総和P0に自乗和Rを乗じたものを信号数の自乗K2で割ったP0*R/K2とに応じて２次方程式の１次の係数U1を信号数Kで割った値U1/Kを求めて係数U1を決定し、背景雑音強度Nと背景雑音強度Nを信号数Kで割ったN/Kと干渉信号強度総和Ptと干渉信号強度総和Ptを信号数Kで割ったPt/Kと干渉信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と干渉信号強度総和Ptに自乗和Rを乗じたPt*Rと干渉信号強度総和Ptに自乗和Rを乗じたものを信号数Kで割ったPt*R/Kと干渉信号強度総和Ptに自乗和Rを乗じたものを信号数の自乗K2で割ったPt*R/K2と和Raと和Raを信号数Kで割ったRa/Kと和Raを信号数の自乗K2で割ったRa/K2と希望信号強度P0を信号数Kで割ったP0/Kと希望信号強度P0に自乗和Rを乗じたP0*Rと希望信号強度総和P0に自乗和Rを乗じたものを信号数Kで割ったP0*R/Kと希望信号強度総和P0に自乗和Rを乗じたものを信号数の自乗K2で割ったP0*R/K2とに応じて２次方程式の２次の係数U2を信号数の自乗K2で割った値U2/K2を求めて係数U2を決定する手段とを備えており、
前記２次方程式を解いて得られる２つの解のうち小さくない方の数値を干渉信号レプリカの強度抑圧係数の平均値とすることを特徴とするＣＤＭ信号復調装置。
【請求項８】
前記決定する手段が、C0〜C53を非負の定数とすると、
U0＝-C0*Pt-C1*Pt/K-C2*Qa-C3*Qa/K-C4*N*R-C5*N*R/K-C6*Pt*R-C7*Pt*R/K-C8*Ra-C9*Ra/K-C10*R*P0-C11*R*P0/K
U1＝(C12*N+C13*N/K+C14*Pt+C15*Pt/K+C16*Pt/K2+C17*Qa+C18*Qa/K+C19*Qa/K2+C20*N*R+C21*N*R/K+C22*N*R/K2+C23*Pt*R+C24*Pt*R/K+C25*Pt*R/K2+C26*Ra+C27*Ra/K+C28*Ra/K2+C29*P0+C30*R*P0+C31*R*P0/K+C32*R*P0/K2)*K
U2＝-(C33*N+C34*N/K+C35*Pt+C36*Pt/K+C37*Pt/K2+C38*Qa+C39*Qa/K+C40*Qa/K2+C41*N*R+C42*N*R/K+C43*N*R/K2+C44*Pt*R+C45*Pt*R/K+C46*Pt*R/K2+C47*Ra+C48*Ra/K+C49*Ra/K2+C50*P0/K+C51*R*P0+C52*R*P0/K+C53*R*P0/K2)*K2
から２次方程式の係数U0、U1及びU2を決定する手段であることを特徴とする請求項７に記載のＣＤＭ信号復調装置。
【請求項９】
複数の干渉信号レプリカに対して程度の異なった強度抑圧を行う手段と、干渉信号数と強度抑圧係数の平均値および逆強度値のずれを入力として該逆強度値に対応する干渉信号レプリカの抑圧係数を個々に決定することを特徴とする請求項５から８のいずれか１項に記載のＣＤＭ信号復調装置。
【請求項１０】
０以上１以下の閾値を有し、個々の干渉信号レプリカに対する抑圧係数が該閾値を下回る場合にその干渉信号を受信信号より減じないことを特徴とする請求項９に記載のＣＤＭ信号復調装置。
【請求項１１】
信号数と、希望信号強度及び干渉信号強度と、背景雑音強度とに対して、予め算出されたレプリカ強度を弱める係数をテーブルとして記憶する記憶手段を更に有することを特徴とする請求項１から１０のいずれか１項に記載のＣＤＭ信号復調装置。
【発明の詳細な説明】
【０００１】
【発明の属する技術分野】
本発明は、符号分割により多重化された信号を受信するＣＤＭ信号復調装置に関し、特にセルラーシステム、構内無線通信システムあるいは無線LANにおける受信装置（基地局、中継局および移動局）に適用しえるものである。
【０００２】
【従来の技術】
符号分割により多重化された信号を受信し、受信信号に含まれる干渉信号のレプリカを作成し、該レプリカの強度を弱めた信号を該受信信号から差し引き、差し引いた残りの信号から希望信号を復調する従来のＣＤＭ信号復調装置では、抑圧係数は通常固定的もしくは複数のレプリカで共通した値が用いられるため、信号数や個々の干渉強度が変動するような場合や干渉信号強度にばらつきがある場合には必ずしも最適な受信特性にならない。これを改善するには、干渉状況をパラメータとして最適な抑圧係数をテーブル化し、状況に応じて最適な抑圧係数を設定する方法が考えれれるが、「干渉状況を表すパラメータ」の特定とそのときの最適な抑圧係数の関係が、想定されるパラメータの範囲に限ったとしても知られていないため、干渉状況に応じた適切な抑圧係数の設定が従来技術では困難である。
【０００３】
【発明が解決しようとする課題】
符号分割により多重化された信号を受信し、受信信号に含まれる干渉信号のレプリカを作成し、該レプリカの強度を弱めた信号を該受信信号から差し引き、差し引いた残りの信号から希望信号を復調する従来のＣＤＭ信号復調装置では、干渉信号の強度が個々の信号ごとに異なる場合や干渉信号数や干渉信号強度が時々刻々と変動するような場合に効果的な干渉信号の除去を行う手段が提供されない。
【０００４】
そこで、本発明は、干渉状況に応じた効果的な干渉信号の除去を行い、通信性能（品質、伝送速度、周波数利用効率など）を向上させることを目的とする。
【０００５】
【課題を解決するための手段】
本発明のＣＤＭ信号復調装置によれば、符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
符号多重化された信号数Kを検出する手段と、
信号強度の総和Pt及び背景雑音強度N、又は信号強度総和Pt及びそれ以外の雑音（背景雑音）強度Nの比を検出する手段と、
検出した信号強度総和Ptと信号強度総和Ptを信号数Kで割ったPt/Kとに応じて２次方程式の定数項U0を決定し、検出した背景雑音強度Nと背景雑音強度Nを信号数Ｋで割ったN/Kと信号強度総和Ptと信号強度総和Ptを信号数Kで割ったPt/Kと信号強度総和Ptを信号数の自乗K2で割ったPt/K2とに応じて２次方程式の１次の係数U1を信号数Ｋで割った値U1/Kを求めて係数U1を決定し、検出した背景雑音強度Nと背景雑音強度Nを信号数Kで割ったN/Kと信号強度総和Ptと信号強度総和Ptを信号数Ｋで割ったPt/Kと信号強度総和Ptを信号数の自乗K2で割ったPt/K2とに応じて２次方程式の２次の係数U2を信号数の自乗K2で割った値U2/K2を求めて係数U2を決定する手段とを備えており、２次方程式を解いて得られる２つの解のうち小さくない方の数値をレプリカ強度を弱める係数として用いることを特徴とする。
決定する手段が、B0〜B11を非負の定数とすると、
U0＝-B0*Pt-B1*Pt/K
U1＝(B2*N+B3*N/K+B4*Pt+B5*Pt/K+B6*Pt/K2)*K
U2＝-(B7*N+B8*N/K+B9*Pt+B10*Pt/K+B11*Pt/K2)*K2
から２次方程式の係数U0、U1及びU2を決定する手段であることが好ましい。
【０００６】
また、本発明のＣＤＭ信号復調装置によれば、符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
干渉信号数Kを検出する手段と、
希望信号強度P0、干渉信号強度の総和Pt及びそれ以外の雑音（背景雑音）強度N、又は希望信号強度P0、干渉信号強度総和Pt及び背景雑音強度Nの相対値を検出する手段と、
検出した干渉信号強度総和Ptと干渉信号強度総和Ptを信号数Kで割ったPt/Kとに応じて２次方程式の定数項U0を決定し、検出した背景雑音強度Nと背景雑音強度Nを信号数Kで割ったN/Kと干渉信号強度総和Ptと干渉信号強度総和Ptを信号数Kで割ったPt/Kと干渉信号強度総和Ptを信号数の自乗K2で割ったPt/K2と希望信号強度P0を信号数Kで割ったP0/Kとに応じて２次方程式の１次の係数U1を信号数Kで割った値U1/Kを求めて係数U1を決定し、検出した背景雑音強度Nと背景雑音強度Nを信号数Kで割ったN/Kと信号強度総和Ptと信号強度総和Ptを信号数Kで割ったPt/Kと信号強度総和Ptを信号数の自乗K2で割ったPt/K2と希望信号強度P0を信号数Kで割ったP0/Kとに応じて２次方程式の２次の係数U2を信号数の自乗K2で割った値U2/K2を求めて係数U2を決定する手段とを備えており、
２次方程式を解いて得られる２つの解のうち小さくない方の数値を前記レプリカ強度を弱める係数として用いることを特徴とする。
決定する手段が、A0〜A13を非負の定数とすると、
U0＝-A0*Pt-A1*Pt/K
U1＝(A2*N+A3*N/K+A4*Pt+A5*Pt/K+A6*Pt/K2+A7*P0/K)*K
U2＝-(A8*N+A9*N/K+A10*Pt+A11*Pt/K+A12*Pt/K2+A13*P0/K)*K2
から２次方程式の係数U0、U1及びU2を決定する手段であることが好ましい。
【０００７】
更に、本発明のＣＤＭ信号復調装置によれば、符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
符号多重化された信号数Kを検出する手段と、
個々の信号の強度Pkを検出する手段と、
個々の信号の強度Pkと信号強度の総和Ptと背景雑音強度Nとをそれぞれ異なった定数で乗じて加算した結果の逆数である逆強度値qkを求める手段と、
個々の信号に対応した逆強度値を総じて平均q~を求める手段と、
個々の逆強度値とその平均値からのずれΔqkを求める手段と、
個々の逆強度値のずれの自乗和Rを求める手段と、
個々の逆強度値のずれの自乗に該逆強度値に対応する信号強度を乗じた値の和Raを求める手段と、
個々の逆強度値のずれに該逆強度値に対応する信号強度を乗じた値の和Qaを求める手段と、
信号強度総和Ptと信号強度総和Ptを信号数Kで割ったPt/Kと和Qaと和Qaを信号数Kで割ったQa/Kと背景雑音強度Nに自乗和Rを乗じたN*Rと背景雑音強度Nに自乗和Rを乗じたものを信号数Kで割ったN*R/Kと信号強度総和Ptに自乗和Rを乗じたPt*Rと信号強度総和Ptに自乗和Rを乗じたものを信号数Kで割ったPt*R/Kと和Raと和Raを信号数Kで割ったRa/Kとに応じて２次方程式の定数項U0を決定し、背景雑音強度Nと背景雑音強度Nを信号数Kで割ったN/Kと信号強度総和Ptと信号強度総和Ptを信号数Kで割ったPt/Kと信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と信号強度総和Ptに自乗和Rを乗じたPt*Rと信号強度総和Ptに自乗和Rを乗じたものを信号数Kで割ったPt*R/Kと信号強度総和Ptに自乗和Rを乗じたものを信号数の自乗K2で割ったPt*R/K2と和Raと和Raを信号数Kで割ったRa/Kと和Raを信号数の自乗K2で割ったRa/K2とに応じて２次方程式の１次の係数U1を信号数Kで割った値U1/Kを求めて係数U1を決定し、背景雑音強度Nと背景雑音強度Nを信号数Kで割ったN/Kと信号強度総和Ptと信号強度総和Ptを信号数Kで割ったPt/Kと信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と信号強度総和Ptに自乗和Rを乗じたPt*Rと信号強度総和Ptに自乗和Rを乗じたものを信号数Kで割ったPt*R/Kと信号強度総和Ptに自乗和Rを乗じたものを信号数の自乗K2で割ったPt*R/K2と和Raと和Raを信号数Kで割ったRa/Kと和Raを信号数の自乗K2で割ったRa/K2とに応じて２次方程式の２次の係数U2を信号数の自乗K2で割った値U2/K2を求めて係数U2を決定する手段とを備えており、
２次方程式を解いて得られる２つの解のうち小さくない方の数値を干渉信号レプリカの強度抑圧係数の平均値とすることを特徴とする。
決定する手段が、E0〜E43を非負の定数とすると、
U0＝-E0*Pt-E1*Pt/K-E2*Qa-E3*Qa/K-E4*N*R-E5*N*R/K-E6*Pt*R-E7*Pt*R/K-E8*Ra-E9*Ra/K
U1＝(E10*N+E11*N/K+E12*Pt+E13*Pt/K+E14*Pt/K2+E15*Qa+E16*Qa/K+E17*Qa/K2+E18*N*R+E19*N*R/K+E20*N*R/K2+E21*Pt*R+E22*Pt*R/K+E23*Pt*R/K2+E24*Ra+E25*Ra/K+E26*Ra/K2)*K
U2＝-(E27*N+E28*N/K+E29*Pt+E30*Pt/K+E31*Pt/K2+E32*Qa+E33*Qa/K+E34*Qa/K2+E35*N*R+E36*N*R/K+E37*N*R/K2+E38*Pt*R+E39*Pt*R/K+E40*Pt*R/K2+E41*Ra+E42*Ra/K+E43*Ra/K2)*K2
から２次方程式の係数U0、U1及びU2を決定する手段であることが好ましい。
【０００８】
更に、本発明のＣＤＭ信号復調装置によれば、符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置において、
干渉信号数Kを検出する手段と、
希望信号の強度P0を検出する手段と、
個々の干渉信号の強度Pkを検出する手段と、
希望信号強度P0と個々の干渉信号強度Pkと干渉信号強度の総和Ptと背景雑音強度Nをそれぞれ異なった定数で乗じて加算した結果の逆数である逆強度値qkを求める手段と、
個々の干渉信号に対応した逆強度値を総じて平均q~を求める手段と、
個々の逆強度値とその平均値からのずれΔqkを求める手段と、
個々の逆強度値のずれの自乗和Rを求める手段と、
個々の逆強度値のずれの自乗に該逆強度値に対応する干渉信号強度を乗じた値の和Raを求める手段と、
個々の逆強度値のずれに該逆強度値に対応する干渉信号強度を乗じた値の和Qaを求める手段と、
干渉信号強度総和Ptと干渉信号強度総和Ptを信号数Kで割ったPt/Kと和Qaと和Qaを信号数Kで割ったQa/Kと背景雑音強度Nに自乗和Rを乗じたN*Rと背景雑音強度Nに自乗和Rを乗じたものを信号数Kで割ったN*R/Kと干渉信号強度総和Ptに自乗和Rを乗じたPt*Rと干渉信号強度総和Ptに自乗和Rを乗じたものを信号数Kで割ったPt*R/Kと和Raと和Raを信号数Kで割ったRa/Kと希望信号強度P0に自乗和Rを乗じたP0*Rと希望信号強度総和P0に自乗和Rを乗じたものを信号数Kで割ったP0*R/Kとに応じて２次方程式の定数項U0を決定し、背景雑音強度Nと背景雑音強度Nを信号数Kで割ったN/Kと干渉信号強度総和Ptと干渉信号強度総和Ptを信号数Kで割ったPt/Kと干渉信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と干渉信号強度総和Ptに自乗和Rを乗じたPt*Rと干渉信号強度総和Ptに自乗和Rを乗じたものを信号数Kで割ったPt*R/Kと干渉信号強度総和Ptに自乗和Rを乗じたものを信号数の自乗K2で割ったPt*R/K2と和Raと和Raを信号数Kで割ったRa/Kと和Raを信号数の自乗K2で割ったRa/K２と希望信号強度P0と希望信号強度P0に自乗和Rを乗じたP0*Rと希望信号強度総和P0に自乗和Rを乗じたものを信号数Kで割ったP0*R/Kと希望信号強度総和P0に自乗和Rを乗じたものを信号数の自乗K2で割ったP0*R/K2とに応じて２次方程式の１次の係数U1を信号数Kで割った値U1/Kを求めて係数U1を決定し、背景雑音強度Nと背景雑音強度Nを信号数Kで割ったN/Kと干渉信号強度総和Ptと干渉信号強度総和Ptを信号数Kで割ったPt/Kと干渉信号強度総和Ptを信号数の自乗K2で割ったPt/K2と和Qaと和Qaを信号数Kで割ったQa/Kと和Qaを信号数の自乗K2で割ったQa/K2と背景雑音強度Nに自乗和Rを乗じたN*Rと背景雑音強度Nに自乗和Rを乗じたものを信号数Kで割ったN*R/Kと背景雑音強度Nに自乗和Rを乗じたものを信号数の自乗K2で割ったN*R/K2と干渉信号強度総和Ptに自乗和Rを乗じたPt*Rと干渉信号強度総和Ptに自乗和Rを乗じたものを信号数Kで割ったPt*R/Kと干渉信号強度総和Ptに自乗和Rを乗じたものを信号数の自乗K2で割ったPt*R/K2と和Raと和Raを信号数Kで割ったRa/Kと和Raを信号数の自乗K2で割ったRa/K2と希望信号強度P0を信号数Kで割ったP0/Kと希望信号強度P0に自乗和Rを乗じたP0*Rと希望信号強度総和P0に自乗和Rを乗じたものを信号数Kで割ったP0*R/Kと希望信号強度総和P0に自乗和Rを乗じたものを信号数の自乗K2で割ったP0*R/K2とに応じて２次方程式の２次の係数U2を信号数の自乗K2で割った値U2/K2を求めて係数U2を決定する手段とを備えており、
２次方程式を解いて得られる２つの解のうち小さくない方の数値を干渉信号レプリカの強度抑圧係数の平均値とすることを特徴とする。
決定する手段が、C0〜C53を非負の定数とすると、
U0＝-C0*Pt-C1*Pt/K-C2*Qa-C3*Qa/K-C4*N*R-C5*N*R/K-C6*Pt*R-C7*Pt*R/K-C8*Ra-C9*Ra/K-C10*R*P0-C11*R*P0/K
U1＝(C12*N+C13*N/K+C14*Pt+C15*Pt/K+C16*Pt/K2+C17*Qa+C18*Qa/K+C19*Qa/K2+C20*N*R+C21*N*R/K+C22*N*R/K2+C23*Pt*R+C24*Pt*R/K+C25*Pt*R/K2+C26*Ra+C27*Ra/K+C28*Ra/K2+C29*P0+C30*R*P0+C31*R*P0/K+C32*R*P0/K2)*K
U2＝-(C33*N+C34*N/K+C35*Pt+C36*Pt/K+C37*Pt/K2+C38*Qa+C39*Qa/K+C40*Qa/K2+C41*N*R+C42*N*R/K+C43*N*R/K2+C44*Pt*R+C45*Pt*R/K+C46*Pt*R/K2+C47*Ra+C48*Ra/K+C49*Ra/K2+C50*P0/K+C51*R*P0+C52*R*P0/K+C53*R*P0/K2)*K2
から２次方程式の係数U0、U1及びU2を決定する手段であることが好ましい。
【０００９】
本発明の他の実施形態によれば、複数の干渉信号レプリカに対して程度の異なった強度抑圧を行う手段と、干渉信号数と強度抑圧係数の平均値および逆強度値のずれを入力として該逆強度値に対応する干渉信号レプリカの抑圧係数を個々に決定することも好ましい。
【００１０】
また、本発明の他の実施形態によれば、0以上1以下の閾値を有し、個々の干渉信号レプリカに対する抑圧係数が該閾値を下回る場合にその干渉信号を受信信号より減じないことも好ましい。
【００１１】
また、本発明の他の実施形態によれば、信号数と、希望信号強度及び干渉信号強度と、背景雑音強度とに対して、予め算出されたレプリカ強度を弱める係数をテーブルとして記憶する記憶手段を更に有することも好ましい。
【００１２】
前述した本発明により、符号分割多重に対応した従来の復調装置に比べて、通信品質や伝送速度を向上させることができる。
【００１３】
【発明の実施の形態】
以下では、図面を用いて、本発明の実施形態を詳細に説明する。
【００１４】
＜実施形態１＞
図１は、「符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置」の一例であり、請求項１〜８を適用できるが、適用が最も適した発明は請求項３及び４である。ここでは請求項３及び４の実施形態として述べる。なお図中の演算器の位置は受信信号と希望信号の入出力関係が等価な範囲で変更可能であり、例えば波形整形フィルタの後にある乗算器は波形整形フィルタの前でも良く、このように変更された構成であっても当然ながら本実施形態で説明する内容をそのままあてはめて実施形態として説明することができる。
【００１５】
同図において干渉信号はK個想定しており、それぞれの干渉信号に対応する形で復調器と再変調器が配置されている。復調器では特定の符号で拡散された信号を受信信号の中から検出する。干渉信号が伝搬してきた状態（チャネル状態）を推定できる場合には、先の検出された信号に対してデータ判定を行い、再変調器に対してデータ判定結果とその干渉信号のチャネル状態を引き渡しても良い。また、干渉信号が伝搬路上のマルチパスにより複数の信号として受信される場合は、おのおのパスを別の干渉信号として扱う方法、あるいは一つの復調器の中で複数のパスを検出してそれらを合成（Rake合成）しデータ判定を行う方法などがある。後者の方法ではデータ判定を伴うので、前述のようにチャネル状態をパス毎に推定し、それらを再変調器へ引き渡す。
【００１６】
再変調器では復調器で検出された信号とその信号に対応する符号により変調操作を行う。再変調器への入力がデータ判定された信号（チャネル状態が失われた信号）であれば、復調器で推定されたチャネル状態に基づいてチャネル状態をパス毎に復元する。
【００１７】
図１に示している復調器と再変調器は、干渉信号のレプリカを生成するための必要最小限の機能であり、レプリカの精度を向上させるためのさまざまな技術（誤り訂正後のデータに基づいた再変調など）であっても本発明を適用することができる。（ほかの実施形態でも同様）
【００１８】
このようにK個の干渉信号に対応する再変調信号はすべて加算されて波形整形フィルタを通過し、0以上1以下の係数Uaveにより強度が弱められた後に、遅延素子により干渉信号のレプリカと同期した受信信号から減じられる。ここで差し引かれた残りの信号に対して希望信号を復調するものが復調器0である。復調器0は復調対象が希望信号であるだけがほかの復調器1〜Kと異なり、その動作は復調器1〜Kのそれと同等である。
【００１９】
なお、ここでは干渉信号数Kと復調器および再変調器の個数を同数としているが、前述のように一つの復調器および再変調器でマルチパスに対応した処理（Rake合成と複数パスのレプリカ作成）を行う場合などはこの限りでない（復調器および再変調器の個数は干渉信号数より少なくなる）。
【００２０】
図２は、干渉信号数K、希望信号電力P0、干渉信号電力の総和Ptおよび背景雑音電力Nを入力として2次方程式の3つの係数U0,U1,U2を算出する係数変換手段U01と、二次方程式U2*Uave^2+U1*Uave+U0=0を満たす2つの解のうち小さくないほうをUaveとして出力する方法を示している。ここで係数変換手段U01は、A0〜A13を波形整形フィルタや干渉信号レプリカの作成の仕方などによって決まる非負の係数として、下記の数式により係数変換を行う。
【００２１】
U0 = -A0*Pt - A1*Pt/K
U1 = (A2*N + A3*N/K +A4*Pt + A5*Pt/K + A6*Pt/K^2 + A7*P0/K)*K
U2 =-(A8*N + A9*N/K + A10*Pt + A11*Pt/K + A12*Pt/K^2 + A13*P0/K)*K^2
【００２２】
希望信号電力P0と干渉信号電力の総和Ptおよび背景雑音電力Nは個別に3つ必要というわけではなく、それらの相対値を表す2つの数値であっても最終解であるUaveを得ることができるのは言うまでもない。（例えば、上式においてPt→1、N→N/Pt、P0→P0/PtとしてU0,U1,U2を求め、この二次方程式を解いても同じ解が得られる）。
【００２３】
また、本実施形態では（すべての実施形態でもそうであるが）、信号強度として信号電力を用いているが、本発明は信号強度＝信号電力と限るものではなく、例えば信号強度として受信電圧などでも良い。
【００２４】
図２では、干渉信号数K、希望信号電力P0、干渉信号電力の総和Ptおよび背景雑音電力Nを入力として、Uaveを代数的に得る手段を示しているが、これとまったく等価な操作を変換テーブルを用いて実現しても良い。すなわち、想定されるK,P0,NおよびPtの入力に対してあらかじめUaveを計算しておき、それをテーブルとしてもつことでこの実施形態と同じ動作を行うことが可能である。
【００２５】
このようにして得られたUaveは、図１で示したように、干渉信号レプリカの強度を弱める係数として用いる。たとえ干渉信号数や干渉信号電力などが変動するような場合であっても、Uaveは常に適切な値に保たれるので、干渉除去能力の高いＣＤＭ信号復調装置を実現することができる。
【００２６】
干渉信号数Kは、例えば、同期が完了し同期はずれしていない信号数をカウントすることで検出することができる。希望信号強度や干渉信号強度は、個々の信号に対応する拡散符号と受信信号との相関値の絶対量や、あるいは個々の信号に埋め込まれるパイロット信号（参照信号）の受信強度を計測することでそれぞれの信号強度を得ることができ、それらを合算すれば全体の信号強度となる。背景雑音の強度は、例えば、全体の受信電力から干渉信号と希望信号の電力の総和を減じるなどして求めることができる。
【００２７】
＜実施形態２＞
図３は、「符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置」の別の例であり、請求項１〜８を適用できるが、適用が最も適した発明は請求項１及び２である。ここでは請求項１及び２の実施形態として述べる。
【００２８】
実施形態２は複数の希望信号がある場合や、希望信号同士が互いに干渉しあっているような場合においてより効率よくＣＤＭ信号復調装置を実現できる。ここでは信号1と信号2が希望信号でもありかつ互いに干渉しあっている場合である。干渉信号数は実施形態１と同様にK個想定している。
【００２９】
実施形態１と異なり、希望信号である信号1と信号2のレプリカをも受信信号から減じるため、最初（左側）の復調器1、2の出力を次の（右側の）復調器1、2の出力とそれぞれ足し合わせている。なお、図３のように最初の復調器出力をそのまま次の復調器出力と足し合わせてもよいが、あるいは減じた自分自身の信号と同じ強度（Uave倍）で足し合わせてもよい。適切なUaveによりいずれの場合でも同じ効果を得ることができる。（両者の違いは、後述する係数Bnに異なる数値を当てはめることによって等価的に吸収できる）。
【００３０】
また、実施形態１と同様に、信号が伝搬してきた状態（チャネル状態）を推定できる場合には、先の検出された信号に対してデータ判定を行い、再変調器に対してデータ判定結果とその信号のチャネル状態を引き渡しても良い。その場合、データ判定結果についてのみ最初の復調器1、2の出力と次の復調器1、2の出力が足しあわされる。
【００３１】
このように、複数の希望信号がありかつこれらが互いに干渉しあっている点が実施形態１の条件と異なり、それ以外は実施形態１における図１の説明を当てはめることができる。
【００３２】
図４は、信号数K、信号電力の総和Ptおよび背景雑音電力Nを入力として2次方程式の3つの係数U0,U1,U2を算出する係数変換手段U02と、二次方程式U2*Uave^2+U1*Uave+U0=0を満たす2つの解のうち小さくないほうをUaveとして出力する方法を示している。ここで係数変換手段U02は、B0〜B11を波形整形フィルタや干渉信号レプリカの作成の仕方などによって決まる非負の係数として、下記の数式により係数変換を行う。
【００３３】
U0 = -B0*Pt - B1*Pt/K
U1 = (B2*N + B3*N/K +B4*Pt + B5*Pt/K + B6*Pt/K^2)*K
U2 =-(B7*N + B8*N/K + B9*Pt + B10*Pt/K + B11*Pt/K^2)*K^2
【００３４】
実施形態１と同様に、信号電力の総和Ptおよび背景雑音電力Nは個別に必要というわけではなく、それらの相対値であっても最終解であるUaveを得ることができるのは言うまでもない。
【００３５】
図４では、信号数K、信号電力の総和Ptおよび背景雑音電力Nを入力として、Uaveを代数的に得る手段を示しているが、これとまったく等価な操作を変換テーブルを用いて実現しても良い。すなわち、想定されるK,N,およびPtの入力に対してあらかじめUaveを計算しておき、それをテーブルとしてもつことでこの実施形態と同じ動作を行うことが可能である。
【００３６】
信号数を検出する手段や、干渉信号強度の総和および干渉以外の雑音強度を検出する手段に関しては実施形態１と同様である。
【００３７】
＜実施形態３＞
図５は、「符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置」の第３の例であり、請求項９の構成要件である「複数の干渉信号レプリカに対して程度の異なった強度抑圧を行う手段」を有する場合の一形態を表している。すなわち、復調器1〜Kが出力する干渉信号の復調結果に係数ukを個別に乗じることで程度の異なった強度抑圧を干渉信号レプリカに対して行う。
【００３８】
「複数の干渉信号レプリカに対して程度の異なった強度抑圧を行う手段」以外は図１（実施形態１）と同様である。
【００３９】
請求項９は請求項５〜８をベースとしているが、図５は請求項７及び８ベースの請求項９の実施形態としてふさわしく、よってその場合の実施形態として説明する。
【００４０】
図６には、背景雑音電力Nと希望信号電力P0と干渉信号電力Pkから、個々の干渉信号の逆強度値（電力の逆数なので、以下逆電力値と呼ぶ）qk（希望信号電力P0と個々の干渉信号電力Pkと干渉信号電力の総和Ptとこれら以外の雑音電力Nをそれぞれ異なった定数cD、cS、cI、cNでそれぞれ乗じて加算した結果の逆数1/(cD*P0 + cS*Pk + cI*Pt + cN*N）)と、個々の干渉信号に対応した逆電力値qkを総じて平均値q~(=(q1+q2+...+qK)/K)を求める手段と、個々の逆電力値とその平均値からのずれΔqk（=qk/q~-1）を求める手段が詳細に記載されている。ここで、“1/x”は入力信号の逆数を出力し、“x/y”は入力xを入力yで割り算し、“x/y-1”は入力xを入力yで割り算しさらに1を減ずる操作を意味する。また、背景雑音電力計測手段、希望信号電力計測手段、干渉信号電力計測手段は、実施形態１で述べたような方法で実現することができる。
【００４１】
図７は、個々の逆電力値のずれΔqkの自乗和Rを求める手段と、個々の逆電力値のずれΔqkの自乗に該逆電力値に対応する干渉信号電力Pkを乗じた値の和Raを求める手段と、個々の逆電力値のずれΔqkに該逆電力値に対応する干渉信号電力Pkを乗じた値の和Qaを求める手段が詳細に図示されている。ここで、“x2”は入力の自乗を出力し、個々の逆電力値のずれΔqkは図６で出力された信号であり、個々の干渉信号電力Pkも図６にある干渉信号電力計測手段から出力されたものを用いることができる。
【００４２】
図８は、干渉信号数Kと/希望信号電力P0と/全体の干渉信号電力Ptと/干渉信号以外の雑音電力Nと/逆電力値のずれの自乗の総和Rと/逆電力値のずれの自乗に干渉信号電力を乗じた総和Raと/逆電力のずれに干渉信号電力を乗じた総和Q/を入力として2次方程式の係数U0,U1,U2を決定する係数決定手段U13と、二次方程式U2*Uave^2+U1*Uave+U0=0を満たす2つの解のうち小さくないほうをUaveとして出力する方法を示している。ここで係数変換手段U01は、C0〜C53を波形整形フィルタや干渉信号レプリカの作成の仕方などによって決まる非負の係数として、下記の数式により係数変換を行う。
【００４３】
U0 = -C0*Pt -C1*Pt/K -C2*Qa -C3*Qa/K -C4*N*R -C5*N*R/K -C6*Pt*R -C7*Pt*R/K -C8*Ra -C9*Ra/K -C10*R*P0 -C11*R*P0/K
U1 = (C12*N +C13*N/K +C14*Pt +C15*Pt/K +C16*Pt/K^2 +C17*Qa +C18*Qa/K +C19*Qa/K^2 +C20*N*R +C21*N*R/K +C22*N*R/K^2 +C23*Pt*R +C24*Pt*R/K +C25*Pt*R/K^2 +C26*Ra +C27*Ra/K +C28*Ra/K^2 +C29*P0 +C30*Po*R +C31*P0*R/K +C32*P0*R/K^2)*K
U2 =-(C33*N +C34*N/K +C35*Pt +C36*Pt/K +C37*Pt/K^2 +C38*Qa +C39*Qa/K +C40*Qa/K^2 +C41*N*R +C42*N*R/K +C43*N*R/K^2 +C44*Pt*R +C45*Pt*R/K +C46*Pt*R/K^2 +C47*Ra +C48*Ra/K +C49*Ra/K^2 +C50*P0/K +C51*P0*R +C52*P0*R/K +C53*P0*R/K^2)*K^2
【００４４】
信号電力レベルが絶対的でなく相対的であっても良いことは実施形態１および実施形態２で述べたとおりである。ここで得られたUaveは干渉信号レプリカの強度抑圧係数の平均値となる。
【００４５】
図９は、干渉信号数Kと強度抑圧係数の平均値Uaveおよびk番目の干渉信号の逆電力値のずれΔqkを入力としてk番目の干渉信号レプリカの抑圧係数ukを決定する方法を示している。すなわち、係数変換手段U00では、干渉信号数Kと強度抑圧係数の平均値Uaveを入力として係数μを生成し、これをk番目の逆電力値のずれΔqkに乗じ、これを強度抑圧係数の平均値Uaveに加えた値を、k番目の干渉信号レプリカの抑圧係数ukとする。
【００４６】
ここで係数変換手段U00は、D0,D1を定数として、次のような変換式となる。
μ= D0+(D1+1/K)*Uave
【００４７】
このようにして決定された個々の干渉信号レプリカの抑圧係数ukは、図５に示した強度抑圧係数として用いることで、干渉信号の強度に応じた適切な強度抑圧を実現することができ、干渉信号強度にばらつきがある場合や時間的に変動する場合などにおいて、従来技術に比べて干渉除去効果の大きい復調を実現できる。
【００４８】
本実施形態に請求項６をさらに適用した場合について図１０を用いて説明する。図１０では、図９を用いて説明した、個々の干渉信号レプリカの強度抑圧係数を求める方法に追加して、閾値判定手段を有している。図９を用いて説明した方法により得られた、k番目の干渉信号強度をuk`とし、閾値判定では 0以上1以下の閾値Tを有し、uk`< Tもしくはuk`≦Tなるものを0として出力する。すなわち、uk = uk` (uk`>T もしくはul`≧T)、= 0（左記以外）
となる。
【００４９】
＜実施形態４＞
図１１は、「符号分割により多重化された信号を受信し、受信信号に含まれる干渉信号のレプリカを作成し、該レプリカの強度を弱めた信号を該受信信号から差し引き、差し引いた残りの信号から希望信号を復調するＣＤＭ信号復調装置」の第４の例であり、請求項９の構成要件である「複数の干渉信号レプリカに対して程度の異なった強度抑圧を行う手段」を有する場合の一形態を表している。すなわち、復調器1〜Kが出力する干渉信号の復調結果に係数ukを個別に乗じることで程度の異なった強度抑圧を干渉信号レプリカに対して行う。
【００５０】
「複数の干渉信号レプリカに対して程度の異なった強度抑圧を行う手段」以外は図３（実施形態２）と同様である。
【００５１】
請求項９は請求項５〜８をベースとしているが、図１１は請求項５及び６ベースの請求項９の実施形態としてふさわしく、よってその場合の実施形態として説明する。
【００５２】
図１２には、背景雑音電力Nと信号電力Pkから、個々の信号の逆電力値qk（個々の信号電力Pkと信号電力の総和Ptとこれら以外の雑音電力Nをそれぞれ異なった定数cS、cI、cNでそれぞれ乗じて加算した結果の逆数1/(cS*Pk + cI*Pt + cN*N）)と、個々の信号に対応した逆電力値qkを総じて平均値q~(=(q1+q2+...+qK)/K)を求める手段と、個々の逆電力値とその平均値からのずれΔqk（=qk/q~-1）を求める手段が詳細に記載されている。ここで、“1/x”は入力信号の逆数を出力し、“x/y”は入力xを入力yで割り算し、“x/y-1”は入力xを入力yで割り算しさらに1を減ずる操作を意味する。また、背景雑音電力計測手段、希望信号電力計測手段、干渉信号電力計測手段は、実施形態１で述べたような方法で実現することができる。
【００５３】
ここで得られた逆電力値のずれΔqkに基づき、個々の逆電力値のずれΔqkの自乗和Rと、個々の逆電力値のずれΔqkの自乗に該逆電力値に対応する信号電力Pkを乗じた値の和Raと、個々の逆電力値のずれΔqkに該逆電力値に対応する信号電力Pkを乗じた値の和Qaを求める方法は、図７を用いて実施形態３で述べた方法と同様である。
【００５４】
図１３は、信号数Kと/全体の信号電力Ptと/背景雑音電力Nと/逆電力値のずれの自乗の総和Rと/逆電力値のずれの自乗におのおのの信号電力を乗じた総和Raと/逆電力のずれにおのおのの信号電力を乗じた総和Q/を入力として2次方程式の係数U0,U1,U2を決定する係数決定手段U14と、二次方程式U2*Uave^2+U1*Uave+U0=0を満たす2つの解のうち小さくないほうをUaveとして出力する方法を示している。ここで係数変換手段U14は、E0〜E43を波形整形フィルタや干渉信号レプリカの作成の仕方などによって決まる非負の係数として、下記の数式により係数変換を行う。
【００５５】
U0 = -E0*Pt -E1*Pt/K -E2*Qa -E3*Qa/K -E4*N*R -E5*N*R/K -E6*Pt*R -E7*Pt*R/K -E8*Ra -E9*Ra/K
U1 = (E10*N +E11*N/K +E12*Pt +E13*Pt/K +E14*Pt/K^2 +E15*Qa +E16*Qa/K +E17*Qa/K^2 +E18*N*R +E19*N*R/K +E20*N*R/K^2 +E21*Pt*R +E22*Pt*R/K +E23*Pt*R/K^2 +E24*Ra +E25*Ra/K +E26*Ra/K^2)*K
U2 =-(E27*N +E28*N/K +E29*Pt +E30*Pt/K +E31*Pt/K^2 +E32*Qa +E33*Qa/K +E34*Qa/K^2 +E35*N*R +E36*N*R/K +E37*N*R/K^2 +E38*Pt*R +E39*Pt*R/K +E40*Pt*R/K^2 +E41*Ra +E42*Ra/K +E43*Ra/K^2)*K^2
【００５６】
信号電力レベルが絶対的でなく相対的であっても良いことは他の実施形態で述べたとおりである。ここで得られたUaveは干渉信号レプリカの強度抑圧係数の平均値となる。
【００５７】
このようにして得られた信号数Kと強度抑圧係数の平均値Uaveおよびk番目の干渉信号の逆電力値のずれΔqkに基づいて、k番目の信号レプリカの抑圧係数ukを求める方法については、図９を用いて実施形態３で説明したとおりである。
【００５８】
本実施形態にさらに請求項１０を適用することも可能であり、その場合の説明も図１０を用いて実施形態３で説明したとおりである。
【００５９】
以上説明した４つの実施形態は、回路的に実現してもソフトウエアで実現してもよく、またここで示した構成でなくても、与えられた受信信号と得られる復調信号の関係が恒等的であれば、その構成は本実施形態を数式上等価に変形したものと言える。
【００６０】
【発明の効果】
図１４は、干渉除去を行わない従来のＣＤＭ信号復調装置の受信特性（破線：1user(w/o)及び8users(w/o)）と、実施形態２に基づくＣＤＭ信号復調装置の受信特性（点線：12users、16users、20users）と、実施形態４に基づくＣＤＭ信号復調装置の受信特性（実線：12users、16users、20users）をシミュレーションにより評価した結果である。図１４では、受信特性として縦軸に伝送フレームの誤り率（FER）を、横軸に受信アンテナ1本あたりの希望信号電力対雑音電力をグラフ化している。評価条件としては、2ブランチ2パス等平均電力レイリー伝搬路（フレーム長Tframeで正規化した最大ドップラー周波数fdはfdTframe=0.64である）を仮定し、さらに0.625ミリ秒周期のΔ制御型閉ループ電力制御（制御コマンドの誤り率4%）を用いている。フレーム長Tslotは10ミリ秒、帯域拡散率は16、符号化率1/3の畳込み符号とQPSKによる１次変調により処理利得は24となる。係数変換手段U02、係数変換手段U14および係数変換手段U00で用いる係数Bn、Dn、Enはそれぞれここでの評価の前提となる伝送方式の帯域制限フィルタやＣＤＭ信号受信装置での干渉信号レプリカの生成方法に基づき、適切に設計したものを用いている（本設計手法は本発明の請求項の範囲外でありここでは述べない）。また図１４では電力測定は正確に行われるものとして評価した。
【００６１】
図１４の結果から、１%(10-2)FERで比較した場合、干渉除去を行わない8usersのＣＤＭ信号復調装置と干渉除去を行う12usersのＣＤＭ信号復調装置とを比較して、S/Nが-2.5dB程度でほぼ一致していることから収容ユーザ数が8（8users）から12（12users）に1.5倍増大していることがわかる。また動作S/Nが大きいところでは、実施形態４（20users）は実施形態２（20users）よりも特性が向上することがわかり、S/Nの特性差は3dBを超えている。
【００６２】
干渉電力のばらつき具合が大きい場合には、実施形態４によるの特性改善がより大きくなると定性的には考えられる。例えば、セルラーシステムにおけるソフトハンドオフユーザからの上りリンクは、セル内ユーザからの上りリンクに比べてその平均受信電力は小さくなるため、実施形態４による効果が大きくなると期待される。
【００６３】
このように本発明によれば、符号分割により多重化された信号を効率よく復調することができ、特に干渉信号の強度が個々の信号ごとに異なる場合や干渉信号数や干渉信号強度が時々刻々と変動するような場合に効果的な干渉信号の除去を行う。
【図面の簡単な説明】
【図１】本発明の実施形態１が適用される受信装置の全体構成図である。
【図２】本発明の実施形態１の抑圧係数平均値を求める手段の構成図である。
【図３】本発明の実施形態２が適用される受信装置の全体構成図である。
【図４】本発明の実施形態２の抑圧係数平均値を求める手段の構成図である。
【図５】本発明の実施形態３が適用される受信装置の全体構成図である。
【図６】本発明の実施形態３の逆電力値のずれを求める手段の構成図である。
【図７】本発明の実施形態３および実施形態４の干渉のばらつき具合を表す統計値である。
【図８】本発明の実施形態３の抑圧係数平均値を求める手段の構成図である。
【図９】本発明の実施形態３および実施形態４の個々の干渉信号レプリカの強度を抑圧する係数を求める手段の構成図である。
【図１０】本発明の実施形態３および実施形態４で付加的に用いることができる個々の干渉信号レプリカの強度抑圧係数を閾値判定する手段の構成図である。
【図１１】本発明の実施形態４が適用される受信装置の全体構成図である。
【図１２】本発明の実施形態４の逆電力値のずれを求める手段の構成図である。
【図１３】本発明の実施形態４の抑圧係数平均値を求める手段の構成図である。
【図１４】干渉除去を行わないCDM信号受信装置とこの発明の実施形態２と実施形態４のCDM信号受信装置のFER特性を評価した結果の一例である。
【符号の説明】
１０  復調器
１１  再変調器
１２  加算器
１３  波形整形フィルタ
１４  乗算器
１５  減算器
１６  復調器
１７  遅延素子
２０  係数変換手段
２１  算出手段
【図１】
0003823821.tif 000002
【図２】
0003823821.tif 000003
【図３】
0003823821.tif 000004
【図４】
0003823821.tif 000005
【図５】
0003823821.tif 000006
【図６】
0003823821.tif 000007
【図７】
0003823821.tif 000008
【図８】
0003823821.tif 000009
【図９】
0003823821.tif 000010
【図１０】
0003823821.tif 000011
【図１１】
0003823821.tif 000012
【図１２】
0003823821.tif 000013
【図１３】
0003823821.tif 000014
【図１４】
0003823821.tif 000015